(57)【要約】      （修正有）【課題】発信元のわからない着信に対して、発信元に留守を悟られない機能を有する電話装置を提供する。【解決手段】電話装置１００は、留守モード設定中に着信を受付けると、制御部１０５は、発ＩＤ抽出部１０４が抽出した発信元の電話番号からデータベース１１３を参照する。そして、発信元の電話番号がデータベース１１３に登録されていない場合に、自動切断処理部１０６は該着信に対して、切断処理を実行する。これにより、通話相手には、話中音（ビジー音）が送出され留守であることを悟られない。【選択図】図１
2014086939.tif 000002
【特許請求の範囲】
【請求項１】
着信に自動的に応答して所定のメッセージを流すまたは発信元からの音声を録音する留守モード機能を有する電話装置において、
着信があった際に当該着信の発信元の電話番号を抽出する発信元電話番号抽出手段と、着信があった際に当該着信のあった電話回線を切断する自動切断手段と、留守応答を許可する発信元の電話番号を登録する留守応答許可番号登録手段と、を有し、
前記留守モード機能が起動している状態で着信があった場合に、前記発信元電話番号抽出手段は当該着信の発信元の電話番号を抽出し、前記抽出した電話番号が前記留守応答許可番号登録手段に登録されていないならば、前記自動切断手段を起動し、当該着信を切断し、当該着信の発信元の電話回線へ当該電話回線を運用する業者からのビジー音が流れるようにすることを特徴とする留守を悟られない電話装置。
【発明の詳細な説明】
【技術分野】
【０００１】
本発明は、着信があった際に自動切断し当該着信の発信元の電話回線へ当該電話回線を運用する業者からのビジー音が流れるようにする機能を有する電話装置に関する。
【背景技術】
【０００２】
留守番電話機において、発信者番号通知機能を利用した良好な処理をする技術がある（例えば特許文献１）。しかしながら、特許文献１の技術では、着信があった際に着信信号に含まれる発信番号情報と一致する電話番号が電話帳データベースに存在しない場合、標準応答メッセージを送出するが、前記応答メッセージを送出することで留守番電話機を設置している側が留守であることを発信元に通知することになる。その結果、留守番電話機を設置している側は、留守を悟られたくない場合でも、発信元に留守を悟られてしまうという欠点がある。
【先行技術文献】
【特許文献】
【０００３】
【特許文献１】特開平１１−２７５２１１号公報
【発明の概要】
【発明が解決しようとする課題】
【０００４】
そこで、本発明の課題は、着信に自動切断し発信元のわからない着信に対して、発信元に留守を悟られない機能を有する電話装置を提供することにある。
【課題を解決するための手段】
【０００５】
本発明の電話装置は、着信に自動的に応答して所定のメッセージを流すまたは発信元からの音声を録音する留守モード機能を有する電話装置において、着信があった際に当該着信の発信元の電話番号を抽出する発信元電話番号抽出手段と、着信があった際に当該着信のあった電話回線を切断する自動切断手段と、留守応答を許可する発信元の電話番号を登録する留守応答許可番号登録手段と、を有し、前記留守モード機能が起動している状態で着信があった場合に、前記発信元電話番号抽出手段は当該着信の発信元の電話番号を抽出し、前記抽出した電話番号が前記留守応答許可番号登録手段に登録されていないならば、前記自動切断手段を起動し、当該着信を切断し、当該着信の発信元の電話回線へ当該電話回線を運用する業者からのビジー音が流れるようにすることを特徴とする。
【発明の効果】
【０００６】
本発明によれば、着信があった際に着信応答者不在で着信応答出来ない状況であっても、着信を自動切断し、当該着信の発信元の電話回線へ当該電話回線を運用する業者からのビジー音が流れるようにすることによって着信応答者が不在ではないことを装う、留守を悟られない機能を有する電話装置を提供することができる。
【図面の簡単な説明】
【０００７】
【図１】電話装置の機能ブロック図である。
【図２】本発明の電話装置の動作を説明するフローチャートである。
【図３】データベースを説明する図である。
【発明を実施するための形態】
【０００８】
以下、本発明の実施の形態について、図を用いて説明する。
【０００９】
図１は本発明の電話装置の機能ブロック図である。電話装置１００は、電話回線２００と接続する回線インターフェース部１０１を備える。電話装置１００の使用者の音声は、ハンドセット１０３のマイク（図示せず）から入力され、音声送受信部１０２、回線インターフェース部１０１を経由し電話回線２００へ送信される。通話相手からの音声は、電話回線２００より回線インターフェース部１０１、音声送受信部１０２を経由し、電話装置１００の使用者が持つハンドセット１０３のスピーカ（図示せず）で再生される。なお、着信時に電話装置１００の使用者がハンドセット１０３をフックオフし通話をする際、ハンドセット１０３よりフックオフ信号が制御部１０５へ通知される。
【００１０】
発ＩＤ抽出部１０４は、着信があった際に発信元の発信者番号を抽出して、制御部１０５へ通知する。
【００１１】
自動切断処理部１０６は、制御部１０５からの指示に従い、着信した呼に対して鳴動後、所定期間後（たとえば３秒）に自動切断処理を実行する。これに伴い、切断された電話回線２００側の交換機は、発信元に話中音を送出する。また、本実施例では、着信に対して切断処理を実行しているが、本願はこれに限定されない。一旦応答してから自動切断するようにしてもよい。
【００１２】
留守応答メッセージ登録部１０７には、電話装置１００が留守応答する際に発信元に  送出する留守応答メッセージが登録されている。
【００１３】
着信時に着信音をスピーカ１０８から出力すると共に、着信表示をディスプレイ１０９に表示する。なお、ディスプレイ１０９としては、ＬＥＤやＬＣＤ等の任意の表示デバイスが適用可能である。
【００１４】
電話装置１００は、ダイヤルキー１１１、留守モードキー１１２のキー押下を検出するキー押下検出部１１０を備える。
【００１５】
電話装置１００が待機中において、留守モードキー１１２の押下をキー押下検出部１１０が検出した際に、前記電話装置１００は、「留守モード」状態に切り替わる。
【００１６】
ダイヤルキー１１１は、発信操作をする際に使用するキーであり、「１、２、３、４、５、６、７、８、９、０、＊、＃」の１２個のキーの総称である。
【００１７】
電話装置１００は、留守モードの状態で着信すると自動応答し発信者番号に応じたメッセージを蓄積するデータベース１１３（以下データベース１１３と記す）を備える。
【００１８】
図３を用いて、データベース１１３の詳細について説明する。データベース１１３は、留守応答を許可する発信者名称３２、発信者番号３３、発信者毎の着信応答形式３４を保存管理する。前記発信者毎の着信応答形式３４は、留守応答（録音有り）、留守応答（録音無し）のそれぞれの応答形式があり、着信した時間帯で異なる応答形式を保存管理する。  
なお、電話装置１００の使用者は、ダイヤルキー１１１を操作して、前記データベース１１３の各種情報を設定出来る。
【００１９】
電話装置１００は、外部機器ＩＦ（インターフェース）部１１４を備え、外部機器であるセキュリティシステム３００からの設定コマンドを受信し、「留守モード」状態を設定することも出来る。前記外部機器は、セキュリティシステムに限らない。
【００２０】
制御部１０５は、前記各部を制御する。
【００２１】
図２は、本発明の電話装置１００の動作フローチャートである。
【００２２】
以下、図１を併用して処理フローを説明する。
【００２３】
はじめに、本フローは、電話装置１００に電源が投入され、発着信が可能な状態から開始する。
【００２４】
電話装置１００は、留守モードキー１１２の操作を検出した場合（Ｓ２００、ＹＥＳ）、または外部機器からの設定コマンドを受信した場合（Ｓ２０８）、当該装置を「留守モード」状態にする（Ｓ２０１）。
【００２５】
次に、前記電話装置１００は、着信があるかどうかを監視する（Ｓ２０２）。
【００２６】
着信を検出した場合（Ｓ２０２、ＹＥＳ）、電話装置１００は、当該装置が「留守モード」状態であるかを判定する（Ｓ２０３）。
【００２７】
着信を検出しない場合（Ｓ２０２、Ｎｏ）、留守モード解除操作があったか否かを判定する（Ｓ２０９）。留守モード解除操作を検知した場合（Ｓ２０９、Ｙｅｓ）、「留守モード」状態を解除して、通常モード（留守モードではない着信鳴動モード）に切り替える（Ｓ２１０）。
【００２８】
なお、ここで留守モード解除操作とは、「留守モード」が設定された状態で新たに留守モードキー１１２の操作、または設定コマンドを検出した場合または外部機器からの設定コマンドを受信した場合を意味する。
【００２９】
着信時に「留守モード」状態である場合（Ｓ２０３、ＹＥＳ）、発ＩＤ抽出部１０４は、前記着信時において発信元の発信者番号を抽出しデータベース１１３内の発信者番号３３に該当する発信者番号があるかを参照する（Ｓ２０５）。前記検出の結果、該当する発信者番号が存在しない場合（Ｓ２０５、ＮＯ）、自動切断処理部１０６は切断処理を実行する（Ｓ２０６）。そして、電話装置１００は無鳴動の着信表示をディスプレイ１０９によって行う（Ｓ２０７）。前記一連の処理によって、着信の際に発信元へ話中と思わせるための当該着信の発信元の電話回線へ当該電話回線を運用する業者からのビジー音が流れるようにすることによって着信応答者が不在ではないことを装い、留守を悟られない機能を実現することが出来る。
【００３０】
着信時に「留守モード」状態でない場合（Ｓ２０３、ＮＯ）、着信鳴動して応答を待つ通常着信処理を実行する（Ｓ２１１）。
【００３１】
前記参照の結果、該当する発信者番号が存在する場合（Ｓ２０５、ＹＥＳ）、電話装置１００は着信表示をスピーカ１０８及びディスプレイ１０９によって行う（Ｓ２１２）。そして、電話装置１００はデータベース１１３の発信者毎の着信応答形式３４に従い、留守応答処理を実行する（Ｓ２１３）。
【００３２】
前記発信者番号３３と同一レコードに登録されている、発信者毎の着信応答形式３４の内容に従い、着信時刻における着信応答を実行する。
【００３３】
例えば、着信時刻２０時において、発信者番号２３４５６７８９０１から電話装置１００へ着信があった場合は、発ＩＤ抽出部１０４において抽出した発信者番号が２３４５６７８９０１であることより、データベース１１３のレコード番号３に前記発ＩＤ抽出部１０４が抽出した発信者番号と同一の発信者番号３３が存在することと、着信時刻が２０時であることから、電話装置１００は、留守応答（録音無し）を実行する。
【００３４】
以上説明した通り、本発明に拠れば、着信時に電話装置１００の使用者が不在で着信応答出来ない状況であっても、本発明の電話装置１００は、前記着信に自動切断し、当該着信の発信元の電話回線へ当該電話回線を運用する業者からのビジー音が流れるようにすることによって留守を悟られないことが可能である。
【００３５】
なお、本実施例においては、電話回線との接続が有線である電話装置を例に説明したが、本発明はこれに限定されない。例えば、本電話装置は、無線通信による携帯電話機や無線ＬＡＮ電話機等であっても良い。
【００３６】
さらに本電話装置は、ビジネスホンシステムや構内交換機（ＰＢＸ）の内線電話機であっても良い。
【符号の説明】
【００３７】
１００…電話装置、１０１…回線インターフェース部、１０２…音声送受信部、１０３…ハンドセット、１０４…発ＩＤ抽出部、１０５…制御部、１０６…自動切断処理部、１０７…留守応答メッセージ登録部、１０８…スピーカ、１０９…ディスプレイ、１１０…キー押下検出部、１１１…ダイヤルキー、１１２…留守モードキー、１１３…留守応答許可者を蓄積するデータベース、１１４…外部機器ＩＦ部、２００…電話回線、３００…セキュリティシステム、３１…レコード番号、３２…発信者名称、３３…発信者番号、３４…発信者毎の着信応答形式
【図１】
2014086939.tif 000003
【図２】
2014086939.tif 000004
【図３】
2014086939.tif 000005